(57)【要約】【課題】データ容量の大きい動画像データであっても通信負荷を増大させることなく動画編集を可能にし、動画像データの編集処理を短時間で効率良く実施する。【解決手段】  医療画像情報を処理するサーバー装置とクライアント装置とを備える医療画像処理システムを用いた医療画像処理方法であって、サーバー装置が、医療画像の動画像データである第１動画像データ及び第１動画像データのデータ量を削減して生成される第２動画像データを記憶し、第２動画像データをクライアント装置に送信する。クライアント装置は受信した圧縮動画像データを再生して、編集処理情報を生成し、生成した編集処理情報をサーバー装置に送信する。サーバー装置は受信した編集処理情報に基づいて第１動画像データを編集処理する。【選択図】図１
2014042654.tif 000002
【特許請求の範囲】
【請求項１】
医療画像情報を処理するサーバー装置であって、
医療画像の動画像データである第１動画像データ及び該第１動画像データのデータ量を削減して生成される第２動画像データを記憶する記憶部と、
クライアント装置からの要求に応じて前記第２動画像データを前記クライアント装置に送信するサーバー側送信部と、
前記クライアント装置から送信され前記第２動画像データに対する編集処理内容を示す編集処理情報を受信するサーバー側受信部と、
受信した前記編集処理情報に基づいて、前記第１動画像データを編集処理する編集処理部と、
を備えるサーバー装置。
【請求項２】
請求項１に記載のサーバー装置であって、
前記サーバー側送信部は、前記第２動画像データを、受信しながら再生可能な通信方式で送信するサーバー装置。
【請求項３】
請求項１又は請求項２に記載のサーバー装置であって、
前記第２動画像データに対する編集処理内容は、前記第２動画像データの時間軸上の一部である部分動画像データ又は静止画像データの抽出処理を含み、
前記編集処理情報は、前記第２動画像データからの前記部分動画像データ又は静止画像データの抽出範囲を示す抽出位置情報を含んでおり、
前記編集処理部は、前記抽出位置情報に示される抽出範囲の前記部分動画像データ又は静止画像データに対応する抽出画像データを、前記第１動画像データから抽出するサーバー装置。
【請求項４】
請求項３に記載のサーバー装置であって、
前記編集処理部は、前記第１動画像データから抽出された前記抽出画像データに対して、画像処理、圧縮処理の少なくともいずれかを含む処理を行うサーバー装置。
【請求項５】
請求項３又は請求項４に記載のサーバー装置であって、
前記記憶部は、前記第１動画像データの特定フレーム位置を示すインデックス情報を記憶するサーバー装置。
【請求項６】
請求項５に記載のサーバー装置であって、
前記記憶部は、前記インデックス情報として前記特定フレーム位置の静止画像を記憶するサーバー装置。
【請求項７】
請求項１から請求項６のいずれか一項に記載のサーバー装置であって、
前記第２動画像データは、複数種のデータ量削減比率の動画像データを含んで構成されるサーバー装置。
【請求項８】
医療画像情報を処理するクライアント装置であって、
医療画像の動画像データである第１動画像データ及び該第１動画像データのデータ量を削減して生成される第２動画像データが記憶されたサーバー装置に対して、前記第２動画像データの送信を要求する送信要求情報を送信するクライアント側第１送信部と、
前記サーバー装置から前記送信要求情報の送信後に送信されてくる前記第２動画像データを受信するクライアント側受信部と、
該クライアント側受信部が受信した前記第２動画像データを再生する再生部と、
前記再生される前記第２動画像データに対する編集処理内容を入力する入力部と、
入力された前記編集処理内容を示す編集処理情報を前記サーバー装置に送信するクライアント側第２送信部と、
を備えるクライアント装置。
【請求項９】
請求項８に記載のクライアント装置であって、
前記再生部は、前記第２動画像データを受信しながら再生するクライアント装置。
【請求項１０】
請求項８又は請求項９に記載のクライアント装置であって、
前記第２動画像データに対する編集処理内容は、該第２動画像データの時間軸上の一部である部分動画像データ又は静止画像データの抽出処理であって、
前記編集処理情報は、抽出された前記部分動画像データ又は静止画像データの前記第２動画像データからの抽出範囲を示す抽出位置情報を含むクライアント装置。
【請求項１１】
請求項１０に記載のクライアント装置であって、
前記編集処理内容は、抽出された前記部分動画像データ又は静止画像データに対応する前記第２動画像データからの抽出画像データに対する画像処理、圧縮処理の少なくともいずれかを含むクライアント装置。
【請求項１２】
請求項８から請求項１１のいずれか一項に記載のクライアント装置であって、
前記サーバー装置から前記第１動画像データの特定フレーム位置を示すインデックス情報を受信し、
前記再生部は、前記インデックス情報に基づいて前記第２動画像データの特定フレーム位置から再生を開始するクライアント装置。
【請求項１３】
請求項１２に記載のクライアント装置であって、
クライアント側受信部は、前記サーバー装置から前記インデックス情報として前記特定フレームの静止画を受信して、
前記再生部は、前記第２動画像データの前記静止画の位置から再生を開始するクライアント装置。
【請求項１４】
医療画像情報を処理するサーバー装置と、該サーバー装置にネットワークを介して接続されるクライアント装置とを備える医療画像処理システムであって、
前記サーバー装置は、
医療画像の動画像データである第１動画像データ及び該第１動画像データのデータ量を削減して生成される第２動画像データを記憶する記憶部と、
前記クライアント装置からの要求に応じて前記第２動画像データを前記クライアント装置に送信するサーバー側送信部と、
前記クライアント装置から送信され前記第２動画像データに対する編集処理内容を示す編集処理情報を受信するサーバー側受信部と、
受信した前記編集処理情報に基づいて、前記第１動画像データを編集処理する編集処理部と、
を備え、
前記クライアント装置は、
前記サーバー装置に対して、前記第２動画像データの送信を要求する送信要求情報を送信するクライアント側第１送信部と、
前記サーバー装置から前記送信要求情報の送信後に送信されてくる前記第２動画像データを受信するクライアント側受信部と、
該クライアント側受信部が受信した前記第２動画像データを再生する再生部と、
前記再生される前記第２動画像データに対する編集処理内容を入力する入力部と、
入力された前記編集処理内容を示す編集処理情報を前記サーバー装置に送信するクライアント側第２送信部と、
を備える医療画像処理システム。
【請求項１５】
医療画像情報を処理するサーバー装置と、該サーバー装置にネットワークを介して接続されるクライアント装置とを備える医療画像処理システムを用いた医療画像処理方法であって、
前記サーバー装置が、医療画像の動画像データである第１動画像データ及び該第１動画像データのデータ量を削減して生成される第２動画像データを記憶するステップと、
前記クライアント装置が、前記サーバー装置に対して、前記第２動画像データの送信を要求する送信要求情報を送信するステップと、
前記サーバー装置が、前記クライアント装置から前記送信要求情報を受信して前記第２動画像データを前記クライアント装置に送信するステップと、
前記クライアント装置が、前記サーバー装置から送信されてくる前記第２動画像データを受信するステップと、
前記クライアント装置が、受信した前記第２動画像データを再生するステップと、
前記再生される前記第２動画像データに対する編集処理内容を入力するステップと、
前記クライアント装置が、入力された前記編集処理内容を示す編集処理情報を前記サーバー装置に送信するステップと、
前記サーバー装置が、前記クライアント装置から送信され前記第２動画像データに対する編集処理内容を示す編集処理情報を受信するステップと、
前記サーバー装置が、受信した前記編集処理情報に基づいて、前記第１動画像データを編集処理するステップと、
を含む医療画像処理方法。
【請求項１６】
医療画像情報を処理するサーバー装置と、該サーバー装置にネットワークを介して接続されるクライアント装置とを備える医療画像処理システムにおいてデータ処理を行うプログラムであって、
医療画像の動画像データである第１動画像データ及び該第１動画像データのデータ量を削減して生成される第２動画像データを記憶する機能と、
クライアント装置からの要求に応じて前記第２動画像データを前記クライアント装置に送信する機能と、
前記クライアント装置から送信され前記第２動画像データに対する編集処理内容を示す編集処理情報を受信する機能と、
受信した前記編集処理情報に基づいて、前記第１動画像データを編集処理する機能と、
を実現させるためのプログラム。
【請求項１７】
医療画像情報を処理するサーバー装置と、該サーバー装置にネットワークを介して接続されるクライアント装置とを備える医療画像処理システムにおいてデータ処理を行うプログラムであって、
前記サーバー装置に対して、前記第２動画像データの送信を要求する送信要求情報を送信する機能と、
前記サーバー装置から前記送信要求情報の送信後に送信されてくる前記第２動画像データを受信する機能と、
該クライアント側受信部が受信した前記第２動画像データを再生する機能と、
前記再生される前記第２動画像データに対する編集処理内容を入力する機能と、
入力された前記編集処理内容を示す編集処理情報を前記サーバー装置に送信する機能と、
を実現させるためのプログラム。
【発明の詳細な説明】
【技術分野】
【０００１】
本発明は、サーバー装置、クライアント装置、医療画像処理システム、医療画像処理方法、及びプログラムに関する。
【背景技術】
【０００２】
近年の医療では、電子内視鏡装置、放射線診断装置、超音波診断装置といった種々のモダリティを用いてデジタル医療画像データを取得し、これらのデジタル医療画像データに基づいて診断がなされることがある。また、時間的・空間的な画像の変化を、マルチフレームと呼ばれる静止画の集合体として扱うことも一般に行われている。
【０００３】
電子内視鏡装置においては、電子内視鏡のレリーズ操作に応じて、そのとき撮像される画像データが静止画又は動画として記録される。例えば、特許文献１に記載された電子内視鏡装置では、電子内視鏡装置により取得される画像データが、この医療画像作成装置に動画として一時的に記憶される。そして、医師等の術者による操作に基づいて、医療画像作成装置に一時的に記憶された動画像データから、関心フレームの静止画像データが抽出される。これら一時的に記憶された動画像データ及び抽出された静止画像データは、通信ネットワークを介して医療画像を管理するサーバーに送信されるようになっている。
【先行技術文献】
【特許文献】
【０００４】
【特許文献１】特開２００５−１０３０３０号公報
【発明の概要】
【発明が解決しようとする課題】
【０００５】
上記のような医療画像作成装置においては、フレーム間予測方式等の時間軸方向に圧縮した圧縮済み動画像データを編集する場合、動画像データの再圧縮が発生し、画質低下を招き、編集処理時間も長くなる。このため、時間軸方向の圧縮処理を行う前の非圧縮動画像データに対して編集作業を施し、その後に時間軸方向の圧縮処理を行うことが一般的となっている。しかし、非圧縮動画像データはデータ容量が大きく、ダウンロード等のネットワーク転送時に、多大な通信負担を要する。
【０００６】
また、特許文献１に記載された医療画像作成装置では、撮影した動画像データに対して静止画抽出処理を施すことで静止画像データを取得している。しかし、サーバー側に記憶された動画像データをクライアント側で取得して、この動画像データに対して静止画抽出等の処理を施す場合、撮影した動画像データをクライアント側にダウンロードすることになる。その場合、前述の通り、多大な通信負荷が生じてしまう。
【０００７】
本発明は、データ容量の大きい動画像データであっても通信負荷を増大させることなく動画編集を可能にし、動画像データの編集処理を短時間で効率良く実施できるサーバー装置、クライアント装置、医療画像処理システム、医療画像処理方法、及びプログラムを提供することを目的とする。
【課題を解決するための手段】
【０００８】
本発明は下記構成からなる。
（１）  医療画像情報を処理するサーバー装置であって、
医療画像の動画像データである第１動画像データ及びその第１動画像データのデータ量を削減して生成される第２動画像データを記憶する記憶部と、
クライアント装置からの要求に応じて上記第２動画像データを上記クライアント装置に送信するサーバー側送信部と、
上記クライアント装置から送信され上記第２動画像データに対する編集処理内容を示す編集処理情報を受信するサーバー側受信部と、
受信した上記編集処理情報に基づいて、上記第１動画像データを編集処理する編集処理部と、
を備えるサーバー装置。
（２）  医療画像情報を処理するクライアント装置であって、
医療画像の動画像データである第１動画像データ及びその第１動画像データのデータ量を削減して生成される第２動画像データが記憶されたサーバー装置に対して、上記第２動画像データの送信を要求する送信要求情報を送信するクライアント側第１送信部と、
上記サーバー装置から上記送信要求情報の送信後に送信されてくる上記第２動画像データを受信するクライアント側受信部と、
そのクライアント側受信部が受信した上記第２動画像データを再生する再生部と、
上記再生される上記第２動画像データに対する編集処理内容を入力する入力部と、
入力された上記編集処理内容を示す編集処理情報を上記サーバー装置に送信するクライアント側第２送信部と、
を備えるクライアント装置。
（３）  医療画像情報を処理するサーバー装置と、そのサーバー装置にネットワークを介して接続されるクライアント装置とを備える医療画像処理システムであって、
上記サーバー装置は、
医療画像の動画像データである第１動画像データ及びその第１動画像データのデータ量を削減して生成される第２動画像データを記憶する記憶部と、
上記クライアント装置からの要求に応じて上記第２動画像データを上記クライアント装置に送信するサーバー側送信部と、
上記クライアント装置から送信され上記第２動画像データに対する編集処理内容を示す編集処理情報を受信するサーバー側受信部と、
受信した上記編集処理情報に基づいて、上記第１動画像データを編集処理する編集処理部と、
を備え、
上記クライアント装置は、
上記サーバー装置に対して、上記第２動画像データの送信を要求する送信要求情報を送信するクライアント側第１送信部と、
上記サーバー装置から上記送信要求情報の送信後に送信されてくる上記第２動画像データを受信するクライアント側受信部と、
そのクライアント側受信部が受信した上記第２動画像データを再生する再生部と、
上記再生される上記第２動画像データに対する編集処理内容を入力する入力部と、
入力された上記編集処理内容を示す編集処理情報を上記サーバー装置に送信するクライアント側第２送信部と、
を備える医療画像処理システム。
（４）  医療画像情報を処理するサーバー装置と、そのサーバー装置にネットワークを介して接続されるクライアント装置とを備える医療画像処理システムを用いた医療画像処理方法であって、
上記サーバー装置が、医療画像の動画像データである第１動画像データ及びその第１動画像データのデータ量を削減して生成される第２動画像データを記憶するステップと、
上記クライアント装置が、上記サーバー装置に対して、上記第２動画像データの送信を要求する送信要求情報を送信するステップと、
上記サーバー装置が、上記クライアント装置から上記送信要求情報を受信して上記第２動画像データを上記クライアント装置に送信するステップと、
上記クライアント装置が、上記サーバー装置から送信されてくる上記第２動画像データを受信するステップと、
上記クライアント装置が、受信した上記第２動画像データを再生するステップと、
上記再生される上記第２動画像データに対する編集処理内容を入力するステップと、
上記クライアント装置が、入力された上記編集処理内容を示す編集処理情報を上記サーバー装置に送信するステップと、
上記サーバー装置が、上記クライアント装置から送信され上記圧縮動画像データに対する編集処理内容を示す編集処理情報を受信するステップと、
上記サーバー装置が、受信した上記編集処理情報に基づいて、上記第１動画像データを編集処理するステップと、
を含む医療画像処理方法。
（５）  医療画像情報を処理するサーバー装置と、そのサーバー装置にネットワークを介して接続されるクライアント装置とを備える医療画像処理システムにおいてデータ処理を行うプログラムであって、
医療画像の動画像データである第１動画像データ及びその第１動画像データのデータ量を削減して生成される第２動画像データを記憶する機能と、
クライアント装置からの要求に応じて上記第２動画像データを上記クライアント装置に送信する機能と、
上記クライアント装置から送信され上記第２動画像データに対する編集処理内容を示す編集処理情報を受信する機能と、
受信した上記編集処理情報に基づいて、上記第１動画像データを編集処理する機能と、
を実現させるためのプログラム。
（６）  医療画像情報を処理するサーバー装置と、そのサーバー装置にネットワークを介して接続されるクライアント装置とを備える医療画像処理システムにおいてデータ処理を行うプログラムであって、
上記サーバー装置に対して、上記第２動画像データの送信を要求する送信要求情報を送信する機能と、
上記サーバー装置から上記送信要求情報の送信後に送信されてくる上記第２動画像データを受信する機能と、
そのクライアント側受信部が受信した上記第２動画像データを再生する機能と、
上記再生される上記第２動画像データに対する編集処理内容を入力する機能と、
入力された上記編集処理内容を示す編集処理情報を上記サーバー装置に送信する機能と、
を実現させるためのプログラム。
【発明の効果】
【０００９】
本発明によれば、データ容量の大きい動画像データであっても通信負荷を増大させることなく動画編集を可能にし、動画像データの編集処理を短時間で効率良く実施できる。
【図面の簡単な説明】
【００１０】
【図１】医療画像処理システムの構成を示す図である。
【図２】サーバー装置１３の構成を示すブロック図である。
【図３】クライアント装置１５の構成を示すブロック図である。
【図４】内視鏡動画像データに対する編集処理のシーケンスを示すチャート図である。
【図５】圧縮動画像データのインデックス情報を示す説明図である。
【図６】圧縮動画像データの圧縮率を領域毎に異ならせた状態を示す説明図である。
【発明を実施するための形態】
【００１１】
以下、本発明の実施形態について、図面を参照して詳細に説明する。
図１は本発明の実施形態を説明するための図で、医療画像処理システムの構成図である。
医療画像処理システム１００においては、電子内視鏡装置１１によって取得される医療画像情報としての内視鏡動画像データＤ１を記憶し、この内視鏡動画像データＤ１を所望の状態に処理する。医療画像情報としては、内視鏡動画像データに限らず、例えば核磁気共鳴装置や放射線装置や超音波検査装置などの種々のモダリティ装置によって取得される動画像データであってもよい。
【００１２】
医療画像処理システム１００は、サーバー装置１３と、クライアント装置１５とを備え、サーバー装置１３及びクライアント装置１５、並びに内視鏡動画像データＤ１を取得する電子内視鏡装置１１は、それぞれ院内ＬＡＮ等の通信ネットワークを介して接続されている。
【００１３】
本医療画像処理システム１００による医療画像処理は、概略的に次のような処理となる。
電子内視鏡装置１１によって取得された内視鏡動画像データＤ１は、電子内視鏡装置１１からサーバー装置１３に送信され、サーバー装置１３に記憶される。
【００１４】
クライアント装置１５は、例えばサーバー装置１３に記憶された動画像データの閲覧や内視鏡検査レポートの作成に用いられ、医師等のユーザーによる操作に基づいてサーバー装置１３から内視鏡動画像データＤ１を圧縮した圧縮動画像データＤ２を取得する。
【００１５】
クライアント装置１５は、取得した圧縮動画像データＤ２に対して編集処理を行い、その編集内容を示す編集処理情報ＥＤＰをサーバー装置１３に送信する。
【００１６】
サーバー装置１３は、クライアント装置１５から受信した編集処理情報ＥＤＰに基づいて、記憶された内視鏡動画像データＤ１を処理する。これにより、閲覧やレポート作成等に供される動画像データを得る。
【００１７】
次に、上記医療画像処理システム１００のサーバー装置１３、クライアント装置１５の構成を説明する。
図２は、サーバー装置１３の構成を示すブロック図である。
サーバー装置１３は、動画像データを記憶する記憶部２１と、動画像データに対して種々の処理を行う処理部２３と、通信ネットワークに接続されて電子内視鏡装置１１（図１参照）やクライアント装置１５との間で動画像データ等のデータ授受を行うＩ／Ｆ部２５と、これら各部を制御する制御部２７とを備えている。
【００１８】
処理部２３は、電子内視鏡装置１１によって取得された内視鏡動画像データ（第１動画像データ）を規定或いは指定されたデータ量削減比率（圧縮率）で圧縮して、この内視鏡動画像データＤ１よりもデータ量の少ない圧縮動画像データＤ２（第２の動画像データ）を生成する圧縮処理部２９と、内視鏡動画像データＤ１に対して編集処理を実行する編集処理部３１とを有する。
【００１９】
内視鏡動画像データＤ１には、例えば非圧縮の動画像データ形式、又はＭｏｔｉｏｎ ＪＰＥＧ等の比較的圧縮率の低い動画像データ形式が用いられる。圧縮動画像データＤ２には、例えばＨ．２６４等の比較的圧縮率の高い動画像データ形式が用いられる。
【００２０】
記憶部２１は、内視鏡動画像データと、この内視鏡動画像データＤ１から生成された圧縮動画像データＤ２とを関連付けて記憶する。
【００２１】
編集処理部３１は、Ｉ／Ｆ部２５を通じて送信されてくる、後述する編集処理情報ＥＤＰに基づいて内視鏡動画像データＤ１を編集処理する。
【００２２】
そして本構成例では、圧縮動画像データＤ２の転送方式として、受信しながら再生可能な通信方式であるストリーミング方式が用いられている。つまり、制御部２７は、圧縮処理部２９により圧縮処理された圧縮動画像データＤ２をストリーミング配信する送信部としても機能する。
【００２３】
内視鏡動画像データＤ１に対する編集処理としては、内視鏡動画像データＤ１に対して時間軸上の一部に相当する部分動画像データの抽出処理、又は内視鏡動画像データＤ１を構成する静止画像データ（Ｍｏｔｉｏｎ  ＪＰＥＧ動画像中の一枚の静止画像）の抽出処理が挙げられる。また、内視鏡動画像データＤ１に対する編集処理としては、抽出された抽出画像データに対して施す画像処理、圧縮処理等の処理を含むこともある。
【００２４】
図３は、クライアント装置１５の構成を示すブロック図である。
クライアント装置１５は、上記の内視鏡動画像データＤ１に対する編集処理内容を設定する。クライアント装置１５は、再生部３３と、表示部３５と、入力部３７と、通信ネットワークに接続されてサーバー装置１３との間で動画像データ等のデータ授受を行うＩ／Ｆ部３９と、受信された動画像データを記憶する記憶部４１と、これら各部を制御する制御部４３とを備えている。制御部４３は、サーバー装置１３に情報を送信する送信部としても機能する。
【００２５】
再生部３３は、サーバー装置１３から送信されてくる圧縮動画像データＤ２を再生する。本構成例では、サーバー装置１３からストリーミング方式で圧縮動画像データＤ２が送信され、再生部３３は、圧縮動画像データＤ２の受信完了を待たずに、受信したデータストリームを逐次再生できる。
【００２６】
表示部３５は、再生される動画や各種情報を表示する液晶モニタ等からなる。
【００２７】
入力部３７は、医師等のユーザーによる操作を受け付け、再生される圧縮動画像データＤ２に対する編集処理内容を入力する。編集処理内容としては、前述の通り、時間軸上の一部である部分動画像データ又は静止画像データの抽出処理を含み、更に、抽出された抽出画像データに対する画像処理、圧縮処理等の処理を含む場合もある。
【００２８】
入力部３７から編集処理内容を入力する作業は、クライアント装置１５のユーザーが、表示部３５に表示される圧縮動画像データＤ２の画像を参照しながら、抽出する圧縮動画像データの始点及び終点の位置を、キーボードやマウス等の入力機器を用いて指定すること等によってなされる。また、必要に応じて画像処理や圧縮処理を指定する。
【００２９】
制御部４３は、この編集処理内容の入力結果に応じて、例えば始点及び終点に対応するタイムコードやフレームナンバーによって示される編集処理情報、各種画像処理や圧縮処理等の編集処理情報を生成する。
【００３０】
上記構成の医療画像処理システム１００は、電子内視鏡装置１１で撮影され、サーバー装置１３に記憶される内視鏡動画像データＤ１から圧縮動画像データＤ２を生成し、この圧縮動画像データＤ２をクライアント装置１５に送信する。
【００３１】
サーバー装置１３は、データ容量の大きい内視鏡動画像データＤ１をクライアント装置１５にそのまま送信することなく、データ容量が軽減され通信負担の少ない圧縮動画像データを送信するため、通信時間が短縮され、サーバー装置１３の演算負担が軽減される。
【００３２】
また、サーバー装置１３は、クライアント装置１５が動画像データを受信しながら再生可能に、圧縮動画像データＤ２をストリーミング方式で送信する。
【００３３】
クライアント装置１５で編集処理内容を入力する際は、圧縮動画像データＤ２を使用することになるが、編集処理内容の入力作業は画像診断とは異なり、動画像データの切り出しが主な目的であるため、画質の高くない動画像データであっても構わない。
【００３４】
次に、本医療画像処理システム１００による、内視鏡動画像データに対する編集処理内容について詳細に説明する。
図４は、内視鏡動画像データに対する編集処理のシーケンスを示すチャート図である。
【００３５】
サーバー装置１３は、電子内視鏡装置１１によって取得された内視鏡動画像データＤ１を受信して、この内視鏡動画像データＤ１を、サーバー装置１３の記憶部２１（図２参照）で記憶する。
【００３６】
サーバー装置１３は、入力された内視鏡動画像データＤ１を記憶し、また、内視鏡動画像データＤ１から圧縮動画像データＤ２を生成して、生成した圧縮動画像データＤ２を内視鏡動画像データＤ１に関連付けて記憶する。
【００３７】
この内視鏡動画像データＤ１は、内視鏡検査の度に記憶部２１に蓄積される。よって記憶部２１には、複数の内視鏡画像データＤ１、及びそれぞれの内視鏡画像データに関連付けられた圧縮動画像データＤ２のペアが複数保存される。
【００３８】
クライアント装置１５は、サーバー装置１３に記憶されている内視鏡動画像データＤ１の一覧を、例えばサムネイル画像、データ保存名、患者ＩＤ、検査日時等の各種情報と併せて表示部３５に表示する。ユーザーは、サーバー装置１３に記憶されている多数の動画像データの中から、所望の動画像データを入力部３７からの操作により編集対象として選択する。
【００３９】
クライアント装置１５は、ユーザーによって選択された動画像データの送信を要求する要求情報ＲＥＱを、サーバー装置１３に送信する。要求信号ＲＥＱには、どの内視鏡動画像データＤ１（圧縮動画像データＤ２）であるかを示す識別情報が含まれる。
【００４０】
サーバー装置１３は、クライアント装置１５から要求情報ＲＥＱを受信すると、この要求情報ＲＥＱの識別情報に対応する内視鏡動画像データに関連付けられた圧縮動画像データを、要求のあったクライアント装置１５にストリーミング方式で送信する。
【００４１】
クライアント装置１５は、サーバー装置１３からストリーミング配信される圧縮動画像データＤ２の受信を開始する。クライアント装置１５は、ストリーミング配信の完了前であっても受信中の圧縮動画像データＤ２を再生できる。そのため、クライアント装置１５では、ダウンロード待ち時間を排した編集処理が可能となり、受信した圧縮動画像データＤ２をユーザーを待たせることなく再生できる。
【００４２】
クライアント装置１５は、受信した圧縮動画像データＤ２の画像を表示部３５に表示する。ユーザーは、この再生される動画を閲覧しながら、クライアント装置１５の入力部３７から、この動画に対する編集処理内容を入力する。
【００４３】
クライアント装置１５は、ユーザーによって入力された編集処理内容を示す編集処理情報ＥＤＰをサーバー装置１３に送信する。
【００４４】
サーバー装置１３は、クライアント装置１５から編集処理情報ＥＤＰを受信すると、この編集処理情報ＥＤＰに基づいて、記憶部２１に記憶されている圧縮動画像データＤ２に対応する内視鏡動画像データＤ１に対して編集処理を実行する。
【００４５】
具体的には、サーバー装置１３の編集処理部３１は、編集処理情報ＥＤＰに含まれる始点、終点の抽出位置情報に基づいて、部分動画像データ又は静止画像データを切り出す抽出処理を行う。この抽出処理は、編集処理情報ＥＤＰに含まれる抽出位置情報に応じて、一つ又は複数の部分動画像データ、又は静止画像データを選択的に抽出するものである。
【００４６】
編集処理部３１は、編集処理情報ＥＤＰに、抽出位置情報と関連して画像処理や圧縮処理等の他の処理情報が含まれる場合に、その抽出位置情報に対応する抽出画像データに対して、指定された処理を施す。表１に編集処理情報ＥＤＰの内容の一例を示す。
【００４７】
【表１】
2014042654.tif 000003
【００４８】
例えば、抽出位置情報として領域Ａ，Ｂが登録され、処理情報として領域Ａには画像処理Ａ、領域Ｂには画像処理Ｂと圧縮処理Ｃが対応付けられている場合、編集処理部３１は、抽出画像データＡに対しては画像処理Ａを施し、抽出画像データＢに対しては画像処理Ｂと圧縮処理Ｃを施す。
【００４９】
このように、抽出画像データの情報と、その抽出画像データに対する処理情報とを編集処理情報ＥＤＰが備えることで、抽出された抽出画像データに対して、例えば診断に適切な画質への調整ができる。なお、処理パラメータは、処理内容毎に設定された任意のパラメータであり、規定値であってもよく、クライアント装置１５で入力した値であってもよい。
【００５０】
サーバー装置１３は、編集処理部３１により内視鏡動画像データＤ１に対して編集処理情報ＥＤＰに基づく編集処理を行った後、この編集処理後の動画像データを記憶部２１に保存する。これにより、編集処理後の動画像データは、院内ＬＡＮを通じていつでも取り出し可能な状態となる。また、高画質な編集処理後の動画像データを患者情報として閲覧したり、内視鏡検査レポートの作成に使用したりすることが容易に行える。
【００５１】
サーバー装置１３とクライアント装置１５との間で、データ量が多い内視鏡動画像データＤ１が授受されることなく、データ量が削減された圧縮動画像データＤ２及び編集処理内容を示す編集処理情報ＥＤＰが授受されることによって、内視鏡動画像データＤ１に対する編集処理が実行される。この方法によれば、サーバー装置１３とクライアント装置１５とを接続する通信ネットワークにかかる負荷を軽減できる。
【００５２】
また、上記の医療画像処理システム１００は、次のように内視鏡動画像データを編集することもできる。
サーバー装置１３に記憶された圧縮動画像データＤ２は、電子内視鏡装置１１の撮影時におけるユーザーからの入力、又はサーバー装置１３による特徴量の自動抽出処理等の演算処理によって、関心のあるフレーム位置が予め特定できている場合がある。その場合、サーバー装置１３は、特定されたフレーム位置の情報を、圧縮動画像データＤ２と併せてクライアント装置１５に送信する。
【００５３】
図５に示すように、サーバー装置１３は、記憶部２１に記憶される圧縮動画像データＤ２をクライアント装置１５に送信する際、圧縮動画像データＤ２における関心のあるフレーム位置を示すインデックス情報を併せて送信する。インデックス情報としては、特定フレーム位置を示す位置情報の他にも、その特定フレーム位置における静止画像であってもよい。
【００５４】
クライアント装置１５は、受信したインデックス情報に基づいて、圧縮動画像データＤ２の特定フレーム位置から再生を開始する制御を行う。インデックス情報が静止画像である場合は、クライアント装置１５がその静止画像が現れる位置を画像比較演算等の手法により検索し、一致した画像が現れる位置から再生を開始する。
【００５５】
インデックス情報を圧縮動画像データＤ２と併せて送信することで、クライアント装置１５側では重要でない動画像の再生が自動的に割愛され、関心のあるフレームから再生できる。このため、ユーザーの編集処理が効率良く行える。
【００５６】
また、図６に示すように、圧縮動画像データＤ２は、全体が一定の画像圧縮率ではなく、複数種の圧縮率の領域を有するものとしてもよい。例えば、診断に重要となる観察部分の動画像に対しては低い圧縮率に設定し、比較的重要でない部分の動画像に対しては高い圧縮率に設定する。これにより、長時間記録する場合でも、重要な部分については高解像度の動画像を再生可能にしつつ、サーバー装置１３に保存されるデータ容量の増大を抑えることができる。
【００５７】
圧縮率の変更位置の設定は、電子内視鏡装置１１による撮影時に、術者が内視鏡手元操作部等に設けたスイッチで設定することや、クライアント装置１５のユーザーが、表示部３５に表示された圧縮動画像データＤ２を見ながら設定することであってもよく、種々の設定形態が採用できる。
【００５８】
撮影時に圧縮率の変更位置を設定する場合は、内視鏡動画像データのメタファイルに変更位置を示すインデックス情報を含ませておき、サーバー装置１３で、このインデックス情報を読み出し、圧縮動画像データＤ２と併せてクライアント装置１５に送信すればよい。
【００５９】
なお、サーバー装置１３及びクライアント装置１５は、主要構成について上述したように、それぞれが、ＣＰＵ，主記憶装置、補助記憶装置、入出力インターフェース、通信インターフェース、入力装置（マウス、キーボード等）、表示装置（ディスプレイモニタ）、データバス等の周知のハードウェア構成を備え、周知のオペレーティングシステム等がインストールされたものである。本発明の医療画像処理は、ＣＤ−ＲＯＭ等の記録媒体からインストールされたプログラムを実行することによって実現される。また、このプログラムは、インターネット等のネットワーク経由で接続されたサーバーの記憶装置からダウンロードされた後にインストールされたものであってもよい。
【００６０】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００６１】
以上の通り、本明細書には次の事項が開示されている。
（１）  医療画像情報を処理するサーバー装置であって、
医療画像の動画像データである第１動画像データ及びその第１動画像データのデータ量を削減して生成される第２動画像データを記憶する記憶部と、
クライアント装置からの要求に応じて上記第２動画像データを上記クライアント装置に送信するサーバー側送信部と、
上記クライアント装置から送信され上記第２動画像データに対する編集処理内容を示す編集処理情報を受信するサーバー側受信部と、
受信した上記編集処理情報に基づいて、上記第１動画像データを編集処理する編集処理部と、
を備えるサーバー装置。
（２）  （１）のサーバー装置であって、
上記サーバー側送信部は、上記第２動画像データを、受信しながら再生可能な通信方式で送信するサーバー装置。
（３）  （１）又は（２）のサーバー装置であって、
上記第２動画像データに対する編集処理内容は、上記第２動画像データの時間軸上の一部である部分動画像データ又は静止画像データの抽出処理を含み、
上記編集処理情報は、上記第２動画像データからの上記部分動画像データ又は静止画像データの抽出範囲を示す抽出位置情報を含んでおり、
上記編集処理部は、上記抽出位置情報に示される抽出範囲の上記部分動画像データ又は静止画像データに対応する抽出画像データを、上記第１動画像データから抽出するサーバー装置。
（４）  （３）のサーバー装置であって、
上記編集処理部は、上記第１動画像データから抽出された上記抽出画像データに対して、画像処理、圧縮処理の少なくともいずれかを含む処理を行うサーバー装置。
（５）  （３）又は（４）のサーバー装置であって、
上記記憶部は、上記第１動画像データの特定フレーム位置を示すインデックス情報を記憶するサーバー装置。
（６）  （５）のサーバー装置であって、
上記記憶部は、上記インデックス情報として上記特定フレーム位置の静止画像を記憶するサーバー装置。
（７）  （１）から（６）のいずれか一つのサーバー装置であって、
上記第２動画像データは、複数種のデータ量削減比率の動画像データを含んで構成されるサーバー装置。
（８）  医療画像情報を処理するクライアント装置であって、
医療画像の動画像データである第１動画像データ及びその第１動画像データのデータ量を削減して生成される第２動画像データが記憶されたサーバー装置に対して、上記第２動画像データの送信を要求する送信要求情報を送信するクライアント側第１送信部と、
上記サーバー装置から上記送信要求情報の送信後に送信されてくる上記第２動画像データを受信するクライアント側受信部と、
そのクライアント側受信部が受信した上記第２動画像データを再生する再生部と、
上記再生される上記第２動画像データに対する編集処理内容を入力する入力部と、
入力された上記編集処理内容を示す編集処理情報を上記サーバー装置に送信するクライアント側第２送信部と、
を備えるクライアント装置。
（９）  （８）のクライアント装置であって、
上記再生部は、上記第２動画像データを受信しながら再生するクライアント装置。
（１０）  （８）又は（９）のクライアント装置であって、
上記第２動画像データに対する編集処理内容は、その第２動画像データの時間軸上の一部である部分動画像データ又は静止画像データの抽出処理であって、
上記編集処理情報は、抽出された上記部分動画像データ又は静止画像データの上記第２動画像データからの抽出範囲を示す抽出位置情報を含むクライアント装置。
（１１）  （１０）のクライアント装置であって、
上記編集処理内容は、抽出された上記部分動画像データ又は静止画像データに対応する上記第２動画像データからの抽出画像データに対する画像処理、圧縮処理の少なくともいずれかを含むクライアント装置。
（１２）  （８）から（１１）のいずれか一つのクライアント装置であって、
上記サーバー装置から上記第１動画像データの特定フレーム位置を示すインデックス情報を受信し、
上記再生部は、上記インデックス情報に基づいて上記第２動画像データの特定フレーム位置から再生を開始するクライアント装置。
（１３）  （１２）のクライアント装置であって、
クライアント側受信部は、上記サーバー装置から上記インデックス情報として上記特定フレームの静止画を受信して、
上記再生部は、上記第２動画像データの上記静止画の位置から再生を開始するクライアント装置。
（１４）  医療画像情報を処理するサーバー装置と、そのサーバー装置にネットワークを介して接続されるクライアント装置とを備える医療画像処理システムであって、
上記サーバー装置は、
医療画像の動画像データである第１動画像データ及びその第１動画像データのデータ量を削減して生成される第２動画像データを記憶する記憶部と、
上記クライアント装置からの要求に応じて上記第２動画像データを上記クライアント装置に送信するサーバー側送信部と、
上記クライアント装置から送信され上記第２動画像データに対する編集処理内容を示す編集処理情報を受信するサーバー側受信部と、
受信した上記編集処理情報に基づいて、上記第１動画像データを編集処理する編集処理部と、
を備え、
上記クライアント装置は、
上記サーバー装置に対して、上記第２動画像データの送信を要求する送信要求情報を送信するクライアント側第１送信部と、
上記サーバー装置から上記送信要求情報の送信後に送信されてくる上記第２動画像データを受信するクライアント側受信部と、
そのクライアント側受信部が受信した上記第２動画像データを再生する再生部と、
上記再生される上記第２動画像データに対する編集処理内容を入力する入力部と、
入力された上記編集処理内容を示す編集処理情報を上記サーバー装置に送信するクライアント側第２送信部と、
を備える医療画像処理システム。
（１５）  医療画像情報を処理するサーバー装置と、そのサーバー装置にネットワークを介して接続されるクライアント装置とを備える医療画像処理システムを用いた医療画像処理方法であって、
上記サーバー装置が、医療画像の動画像データである第１動画像データ及びその第１動画像データのデータ量を削減して生成される第２動画像データを記憶するステップと、
上記クライアント装置が、上記サーバー装置に対して、上記第２動画像データの送信を要求する送信要求情報を送信するステップと、
上記サーバー装置が、上記クライアント装置から上記送信要求情報を受信して上記第２動画像データを上記クライアント装置に送信するステップと、
上記クライアント装置が、上記サーバー装置から送信されてくる上記第２動画像データを受信するステップと、
上記クライアント装置が、受信した上記第２動画像データを再生するステップと、
上記再生される上記第２動画像データに対する編集処理内容を入力するステップと、
上記クライアント装置が、入力された上記編集処理内容を示す編集処理情報を上記サーバー装置に送信するステップと、
上記サーバー装置が、上記クライアント装置から送信され上記第２動画像データに対する編集処理内容を示す編集処理情報を受信するステップと、
上記サーバー装置が、受信した上記編集処理情報に基づいて、上記第１動画像データを編集処理するステップと、
を含む医療画像処理方法。
（１６）  医療画像情報を処理するサーバー装置と、そのサーバー装置にネットワークを介して接続されるクライアント装置とを備える医療画像処理システムにおいてデータ処理を行うプログラムであって、
医療画像の動画像データである第１動画像データ及びその第１動画像データのデータ量を削減して生成される第２動画像データを記憶する機能と、
クライアント装置からの要求に応じて上記第２動画像データを上記クライアント装置に送信する機能と、
上記クライアント装置から送信され上記第２動画像データに対する編集処理内容を示す編集処理情報を受信する機能と、
受信した上記編集処理情報に基づいて、上記第１動画像データを編集処理する機能と、
を実現させるためのプログラム。
（１７）  医療画像情報を処理するサーバー装置と、そのサーバー装置にネットワークを介して接続されるクライアント装置とを備える医療画像処理システムにおいてデータ処理を行うプログラムであって、
上記サーバー装置に対して、上記第２動画像データの送信を要求する送信要求情報を送信する機能と、
上記サーバー装置から上記送信要求情報の送信後に送信されてくる上記第２動画像データを受信する機能と、
そのクライアント側受信部が受信した上記第２動画像データを再生する機能と、
上記再生される上記第２動画像データに対する編集処理内容を入力する機能と、
入力された上記編集処理内容を示す編集処理情報を上記サーバー装置に送信する機能と、
を実現させるためのプログラム。
【符号の説明】
【００６２】
１１  電子内視鏡装置
１３  サーバー装置
１５  クライアント装置
１７  通信ネットワーク
２１  記憶部
２３  処理部
２５  Ｉ／Ｆ部
２７  制御部
２９  圧縮処理部
３１  編集処理部
３３  再生部
３５  表示部
３７  入力部
３９  Ｉ／Ｆ部
４１  記憶部
４３  制御部
Ｄ１  内視鏡動画像データ（第１動画像データ）
Ｄ２  圧縮動画像データ（第２動画像データ）
１００  医療画像システム
【図１】
2014042654.tif 000004
【図２】
2014042654.tif 000005
【図３】
2014042654.tif 000006
【図４】
2014042654.tif 000007
【図５】
2014042654.tif 000008
【図６】
2014042654.tif 000009